(57)【要約】  【課題】  ユーザが使用しない機能等に対応する部品に対するエネルギー供給の遮断を任意に設定することが可能であり，また，ユーザが省エネルギー効果を容易に認識することが可能なエネルギー供給制御装置，及びそれを具備するテレビジョン受像機を提供することにある。  【解決手段】  複数の部品各々にエネルギー供給を行わない場合の省エネルギー効果の情報を通知する機能，及び操作入力に従って前記複数の部品各々に対してエネルギー供給を行うか否かのエネルギー供給情報を設定する機能，並びに前記エネルギー設定情報に基づいて前記複数の部品各々に対するエネルギー供給を制御する機能を備えたエネルギー供給制御装置或いはそれを具備するテレビジョン受像機等として構成される。【選択図】  図１
2006129015.tif 000002
【特許請求の範囲】
【請求項１】
各々１又は複数の機能に対応する複数の部品を具備する本体装置に設けられ，前記複数の部品各々へのエネルギー供給を制御するエネルギー供給制御装置であって，
前記複数の部品各々に対しエネルギー供給を行うか否かに関するエネルギー供給情報を操作入力に従って設定するエネルギー供給情報設定手段と，
前記エネルギー供給情報設定手段によるエネルギー供給情報の設定が行われる際に，前記複数の部品の１又は複数にエネルギー供給を行わない場合の省エネルギー効果の情報を通知する省エネルギー効果通知手段と，
前記エネルギー供給情報設定手段により設定された前記エネルギー供給情報に基づいて前記複数の部品各々に対してエネルギー供給を行うか否かを制御するエネルギー供給制御手段と，
を具備してなることを特徴とするエネルギー供給制御装置。
【請求項２】
予め定められた１又は複数の前記エネルギー供給情報の選択候補を記憶する既定エネルギー供給パターン記憶手段を具備し，
前記エネルギー供給情報設定手段が，前記エネルギー供給制御手段により用いられる前記エネルギー供給情報を前記既定エネルギー供給パターン記憶手段に記憶された複数の前記エネルギー供給情報の選択候補の中から操作入力に従って選択することにより設定する既定エネルギー供給情報選択手段を具備してなる請求項１に記載のエネルギー供給制御装置。
【請求項３】
前記エネルギー供給情報設定手段が，
前記本体装置が有する複数の機能各々についての使用有無の情報を操作入力に従って取得する機能使用状態情報取得手段と，
前記機能仕様状態情報取得手段により取得された情報に基づいて前記使用機能設定情報を設定する機能仕様有無対応エネルギー供給情報設定手段と，
を具備してなる請求項１又は２のいずれかに記載のエネルギー供給制御装置。
【請求項４】
前記エネルギー供給情報設定手段により設定された１又は複数の前記エネルギー供給情報を記憶する設定エネルギー供給パターン記憶手段と，
前記エネルギー供給制御手段により用いられる前記エネルギー供給情報を前記設定エネルギー供給パターン記憶手段に記憶された複数の前記エネルギー供給情報の中から選択する設定エネルギー供給情報選択手段と，
を具備してなる請求項１〜３のいずれかに記載のエネルギー供給制御装置。
【請求項５】
前記複数の部品に対するエネルギー供給状態に関する情報を通知するエネルギー供給状態通知手段を具備してなる請求項１〜４のいずれかに記載のエネルギー供給制御装置。
【請求項６】
前記エネルギー供給状態通知手段が，前記本体装置の操作用リモコンの表示部に前記エネルギー供給状態に関する情報を表示させるものである請求項５に記載のエネルギー供給制御装置。
【請求項７】
前記エネルギー供給状態通知手段が，前記エネルギー供給制御手段によりエネルギー供給が遮断されている部品を必要とする機能の実行を要求する操作入力がなされた場合に，前記エネルギー供給状態に関する情報を通知するものである請求項５又は６のいずれかに記載のエネルギー供給制御装置。
【請求項８】
請求項１〜７のいずれかに記載のエネルギー供給制御装置を具備してなることを特徴とするテレビジョン受像機。
【請求項９】
前記エネルギー供給制御装置によりエネルギー供給が制御される複数の部品として，地上波アナログ放送信号が入力される地上波アナログチューナ，地上波デジタル放送信号が入力される地上波デジタルチューナ，ＣＡＴＶによる放送信号が入力されるＣＡＴＶチューナ，ＢＳデジタル放送信号が入力されるＢＳチューナ，ＣＳデジタル放送信号が入力されるＣＳチューナ，外部機器からの信号が入力される外部機器インターフェース，着脱可能な外部記憶手段が装着される外部メモリインターフェース，のうちの１又は複数を具備してなる請求項８に記載のテレビジョン受像機。
【発明の詳細な説明】
【技術分野】
【０００１】
本発明は，本体装置に設けられた複数の部品に対するエネルギー供給を，ユーザーによる設定入力に基づいて制御するエネルギー供給制御装置，及びそれを具備するテレビジョン受像機に関するものである。
【背景技術】
【０００２】
近年，環境保全問題，エネルギー資源の問題対策の一環として，電化製品類の省エネルギー化が強く要請されており，各メーカーにより様々な省エネルギー化製品が提案され，開発されている。例えば，一定時間外部からの操作入力がなされていない場合等に，装置をいわゆるスタンバイ状態に移行させ，待機時の消費電力を低減することにより，省エネルギー化を図るものなどがある。
このような省エネルギー化を図った装置のより具体的な例として，例えば特許文献１に記載の表示装置は，表示画面が触指されたこと及びその触指された座標を認識する入力部における座標認識機能のカット，前記表示画面のバックライトの消灯，前記表示画面による表示の実行停止等を，操作入力がなされていない時間の経過に伴って段階的に行うものである。
【０００３】
また，省エネルギー化を図った装置の別例として，特許文献２に記載の画像処理装置は，通信手段，記録手段，画像読み取り手段に電力を供給するための回路が独立に構成されており，例えば，書類の複写を行うときには，外部装置と通信を行う前記通信手段への通電は不要であるため，前記記録手段及び前記画像読み取り手段のみに電力を供給する回路のみを作動させる，等の制御を行い，特定の動作に対して不必要な部分への電力供給を防止することにより，省エネルギー化を図るものである。
【０００４】
ところで，近年開発されている電化製品類は非常に多機能なものが多い。例えば，近年のテレビジョン受像機は，地上波アナログ放送によるテレビ放送信号の入力及びその信号からのチャンネル選択機能（視聴機能）に加え，地上波デジタル放送やＣＡＴＶ放送によるテレビ放送信号や，ＢＳ，ＣＳに代表される衛星放送によるテレビ放送信号等，放送媒体が異なる複数の放送信号についての視聴機能を有している。
しかし，そのような多機能の装置において，全ての機能を使用するケースは極稀である。例えば，テレビジョン受像機では，単に地上波アナログ放送の視聴機能のみを使用する場合も多く，この場合，ＣＡＴＶ放送や衛星放送についての視聴機能は一切用いられないことになる。
【特許文献１】特開２００２−２２９５４５号公報
【特許文献２】特開２００２−９４７０６号公報
【発明の開示】
【発明が解決しようとする課題】
【０００５】
しかしながら，多機能の装置には，それらの機能を実現するための様々な部品が設けられており，例えそれらの機能を使用していない場合であっても，前記部品各々にはいわゆる待機電力が供給されている。
例えば上述のテレビジョン受像機の例では，地上波アナログ放送，地上波デジタル放送，ＢＣ放送，ＣＳ放送等を入力してチャンネル選択をするために，それぞれ別個のチューナーが設けられており，それらのチューナー各々に電力の供給が行われている。また，ＰＣ（パーソナルコンピュータ）等の外部装置から入力された映像信号を表示部に表示させる機能を備え，その外部装置からの映像信号を入力する映像入力インターフェース等に対しても常時電力の供給が行われている場合もある。
このような待機電力の消費は，省エネルギー化に反するため，使用しないことが予め判明している機能に対応する部品への電力供給は遮断することが望ましい。
【０００６】
しかしながら，上述の特許文献１及び２には，使用しない機能に対応する部品へのエネルギー供給の遮断設定を，ユーザによる装置の使用態様に応じて任意に行える構成については何ら示されていない。
また，従来の装置では，ユーザが省エネルギー機能によりどの程度の省エネルギー効果が得られるのかをユーザが把握できず，エネルギー効果を実感できないため，例えば一時的に使用しない機能に対応する部品への電力供給をその都度遮断してまで省エネルギー化を図ろうとするような，より積極的な省エネルギー化が促進され難いという問題点もあった。
従って，本発明は上記事情に鑑みてなされたものであり，その目的とするところは，ユーザが使用しない機能等に対応する部品に対するエネルギー供給の遮断を任意に設定することが可能であり，また，ユーザが省エネルギー効果を容易に認識することが可能なエネルギー供給制御装置，及びそれを具備するテレビジョン受像機を提供することにある。
【課題を解決するための手段】
【０００７】
上記目的を達成するために本発明は，各々１又は複数の機能に対応する複数の部品を具備する本体装置に設けられ，操作入力に従って前記複数の部品各々に対してエネルギー供給を行うか否かのエネルギー供給情報を設定する機能，及び前記エネルギー供給情報が設定される際にそれら複数の部品各々にエネルギー供給（電子部品に対する電力供給や，光発電手段を備える部品に対する光供給等）を行わない場合の省エネルギー効果の情報を通知する機能，並びに前記エネルギー設定情報に基づいて前記複数の部品各々に対するエネルギー供給を制御する機能を備えたエネルギー供給制御装置或いはそれを具備するテレビジョン受像機等として構成される。
これにより，ユーザが使用しない機能等に対応する部品各々に対するエネルギー供給の遮断を任意に設定することが可能となり，ユーザによる装置の使用の実情に即した効果的な省エネルギー化が図れる。また，各部品についてエネルギー遮断による省エネルギー効果に関する情報が通知されるので，ユーザは省エネルギー効果を明瞭に認識することが可能である。ここで，省エネルギー効果に関する情報としては，例えば，各部品の消費電力や当該装置全体の消費電力に対する各部品の消費電力の比率等が考えられる。
【０００８】
また，１又は複数の前記エネルギー供給情報の候補が予め記憶されており，上述のエネルギー供給情報を設定する機能が，予め記憶されたそれらの候補から１つを選択することにより（ユーザに操作選択入力を行なわせるなど）前記エネルギー供給情報を設定する場合を含むものであることも考えられる。
これにより，ユーザがエネルギー供給情報の設定を行うときには，予め記憶（用意）された１又は複数のパターンから１つを選択すればよいだけなので，非常に操作性のよいものとなり，また，設定変更なども容易である。
更に，設定された前記エネルギー供給情報を１又は複数記憶するとともに，その記憶されたエネルギー供給情報のうちの１つを選択（例えば，操作入力に従って選択）し，選択されたエネルギー供給情報に基づいて前記複数の部品各々へのエネルギー供給制御を行うことが考えられる。
これにより，時間帯や曜日等に応じて，或いはユーザに応じて前記エネルギー供給情報の設定パターン（即ち，各部品に対するエネルギー遮断パターン）を変更したい場合でも，その都度一から前記エネルギー供給情報を設定し直す必要がなく非常に操作性の良いものとなる。その結果，状況に応じて最適な省エネルギー状態となる前記エネルギー供給情報を容易に設定（選択）でき，きめ細かな省エネルギー対応が可能となる。
【０００９】
また，前記複数の部品に対するエネルギー供給状態に関する情報を通知する機能，例えば，前記本体装置の操作用リモコンの表示部等にその情報を表示させる機能等が設けられたものが考えられる。
これにより，ユーザがエネルギー供給の行われていない部品の機能を使用しようとしてもその機能は使用できない（その部品は作動しない）が，そのような場合に前記エネルギー供給状態に関する情報が通知されると，ユーザが装置（部品）の故障が発生したと錯覚することを回避できる。
なお，前記本体装置がテレビジョン受像機である場合，エネルギー供給が制御される複数の部品としては，例えば，地上波アナログ放送信号が入力される地上波アナログチューナ，地上波デジタル放送信号が入力される地上波デジタルチューナ，ＣＡＴＶ放送信号が入力されるＣＡＴＶチューナ，ＢＳデジタル放送信号が入力されるＢＳチューナ，ＣＳデジタル放送信号が入力されるＣＳチューナ，外部からの信号が入力される外部信号入力部（インターフェース），着脱可能な外部記憶手段が装着される外部メモリインターフェース等が考えられる。
【発明の効果】
【００１０】
本発明によれば，ユーザが使用しない機能等に対応する部品各々に対するエネルギー供給の遮断を任意に設定することが可能となり，ユーザによる装置の使用の実情に即した効果的な省エネルギー化が図れる。また，各部品についてエネルギー遮断による省エネルギー効果に関する情報が通知されるので，省エネルギー効果を明瞭に認識することが可能となり，省エネルギー意識の強いユーザによる積極的な省エネルギー化が促進されやすい。更に，使用しない部品等にはエネルギーの供給が行われないため，部品全体の温度低下につながり，本体装置の長寿命化も期待できる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を示す図，図２は前記テレビジョン受像機Ｘにおける，設定対象選択の表示画面の一例を示す図，図３は前記テレビジョン受像機Ｘにおける複数の機能について使用するか否かを表す使用機能設定情報の設定画面の一例を示す図。図４は前記テレビジョン受像機Ｘにおける使用機能設定情報の登録問い合わせ画面の一例を示す図。図５は前記テレビジョン受像機Ｘにおける登録された使用機能設定情報の選択画面の一例を示す図，図６は予め記憶された既定使用機能設定情報の選択画面の一例を示す図，図７は，使用機能設定情報の簡易設定がなされる場合の，視聴者の使用の実状を問い合わせる表示画面の表示手順を示すフローチャートである。
【００１２】
図１に示される，本発明の実施の形態に係るテレビジョン受像機Ｘは，当該テレビジョン受像機Ｘが有する複数の機能に対応する複数の部品各々に対して電力（エネルギーの一例）の供給を行うか否かを制御するエネルギー供給制御装置Ａ（制御部１，ＥＥＰＲＯＭ２）を具備する。
前記制御部１は，ＭＰＵ及びその周辺機器であるＲＯＭ，ＲＡＭ等を備えており，前記テレビジョン受像機Ｘの各部品に対するエネルギー供給の制御等を含む統括的な制御を行うものである。また，読み書き可能な不揮発性の記憶手段であるＥＥＰＲＯＭ２と接続されている。
また，前記テレビジョン受像機Ｘは，エネルギー供給制御装置Ａ（前記制御部１，前記ＥＥＰＲＯＭ２）に加え，映像表示部３，入力部４，地上波アナログチューナ５，ＣＡＴＶチューナ６，地上波デジタルチューナ７，光音声出力端子８，ＢＳデジタルチューナ９，ＣＳデジタルチューナ１０，コンポーネント入力部１１，Ｄ端子入力部１２，第一コンポジット入力部１３，第二コンポジット入力部１４，ＰＣ入力部１５，ＰＣ制御信号入力部１６，外部メモリ用接続部１７，スイッチ部１８，電源１９，セレクタ部２０，Ａ／Ｄ変換器２１，デジタル映像信号処理装置２２，等により概略構成される。前記テレビジョン受像機Ｘは，前述の構成以外にも通常のテレビとして機能するのに必要な種々の構成を有するものであるが，それらは特に本発明の特徴に関わるものではないため，説明を省略する。
【００１３】
前記映像表示部３は液晶ディスプレイ等の表示部及び液晶コントローラ等の制御部を備えた表示手段であり，前記デジタル映像信号処理装置２１から伝送されてくるデジタル映像信号を映像画面として出力するものである。また，前記映像表示部３は，ＯＳＤ処理部３ａを備え，前記制御部１から後述する所定のＯＳＤ情報が伝送された場合，前記ＯＳＤ処理部３ａにより，そのＯＳＤ情報を表示するＯＳＤ画面の映像信号を生成し，そのＯＳＤ画面を前記デジタル映像信号処理装置２２からの映像信号に基づく映像と併せて前記表示部に表示させる。
前記入力部４は，例えばリモコンによる当該テレビジョン受像機Ｘに対する操作に関する信号の受信部，若しくは当該テレビジョン受像機Ｘの外面等に設けられた操作スイッチ類等の総称である。
前記地上波アナログチューナ５，前記ＣＡＴＶチューナ６，前記地上波デジタルチューナ７，前記ＢＳデジタルチューナ９，前記ＣＳデジタルチューナ１０は，それぞれに対応したテレビ放送信号を受信する不図示の受信アンテナと接続されており，受信アンテナ各々により受信されたテレビ放送信号（地上波アナログテレビ放送信号，ＣＡＴＶ放送信号，地上波デジタル放送信号，ＢＳデジタル放送信号，ＣＳデジタル放送信号）を入力し，その入力信号（複数チャンネル分の信号が重畳されたテレビ放送信号）から前記制御部１によって指定された１つのチャンネルの信号を抽出する機能（以下，各々地上波アナログ入力機能，ＣＡＴＶ入力機能，地上波デジタル入力機能，ＢＳデジタル入力機能，ＣＳデジタル入力機能）にそれぞれ対応する部品である。
【００１４】
前記光音声出力端子８は，前記地上波デジタルチューナ７，前記ＢＳデジタルチューナ９，前記ＣＳデジタルチューナ１０により入力されたテレビ放送信号に含まれる音声信号を光信号に変換し，光音声出力する機能（光音声出力機能）を有するインターフェースである。
前記コンポーネント入力部１１は，ビデオ装置，ＤＶＤ再生装置等からの信号（映像信号，音声信号）をコンポーネント入力する機能（コンポーネント入力機能）を有するインターフェースである。
前記Ｄ端子入力部１２は，Ｄ端子に適合するケーブルにより接続されたビデオ装置，やＤＶＤ再生装置等からの映像信号，音声信号を入力する機能（Ｄ端子入力機能）を有するインターフェースである。
前記第一コンポジット入力部１３，前記第二コンポジット入力部１４は，ビデオ装置，若しくはＤＶＤ再生装置の信号をコンポジット入力する機能（第一コンポジット入力機能，第二コンポジット入力機能）を有するインターフェースである。
【００１５】
前記ＰＣ入力部１５は，ＰＣからの映像信号及び音声信号を入力する機能（ＰＣ入力機能）を有するインターフェースである。
前記ＰＣ制御信号入力部１６は，ＰＣ等の外部機器から当該テレビジョン受像機を制御する制御信号を入力する機能（制御信号入力機能）を有するインターフェースである。
前記外部メモリ用接続部１７は，前記テレビジョン受像機Ｘに着脱可能に装着される外部機器であるメモリーカード（外部記憶手段の一例）用のインターフェースである。前記外部メモリ用接続部１７は，前記テレビジョン受像機Ｘの有する外部メモリ書き込み機能（即ち，外部メモリに番組の録画を行う機能）に対応する部品である。
前述のチューナ５〜７，９，１０各々により入力されたテレビ放送信号は，不図示の検波回路で各々検波（映像信号及び音声信号の抽出）がなされ，検波により得られた映像信号各々は前記セレクタ部２０に入力される。また，前述の各入力部１１〜１６により入力された外部機器からの映像信号も，やはり前記セレクタ部２０に入力される。
前記セレクタ部２０は，入力された映像信号から，前記制御部１からの制御指令に従って１つの映像信号を選択する。ここで，前記セレクタ部２０は，選択した映像信号がアナログの映像信号（前記地上波アナログチューナ５，前記ＣＡＴＶチューナ６，前記第一コンポジット入力部１３，前記第二コンポジット入力部１４から入力された映像信号，）である場合は，その映像信号を前記Ａ／Ｄ変換器２１に対して出力し，前記映像信号がデジタルの映像信号（前記地上波デジタルチューナ６，前記ＢＳデジタルチューナ８，前記ＣＳデジタルチューナ９，コンポーネント入力部１０，Ｄ端子入力部１１から入力された映像信号）である場合には，その映像信号を前記デジタル映像処理装置２２に対して出力する。
一方，前記音声信号各々も不図示の音声信号用セレクタに入力され，そこで前記制御部１からの制御指令に従って１つの音声信号が選択され，不図示のスピーカに出力される。
なお，前記制御部１は，前記入力部３を通じて入力されるチャンネル選択の操作入力に従って前記セレクタ部２０及び前記音声信号用セレクタを制御する。
【００１６】
前記電源１９は，前記地上波アナログチューナ５，前記ＣＡＴＶチューナ６，前記地上波デジタルチューナ７，前記光音声出力端子８，前記ＢＳデジタルチューナ９，前記ＣＳデジタルチューナ１０，前記コンポーネント入力部１１，前記Ｄ端子入力部１２，前記第一コンポジット入力部１３，前記第二コンポジット入力部１４，前記ＰＣ入力部１５，前記ＰＣ制御信号入力部１６，前記外部メモリ用接続部１７他，前記テレビジョン受像機Ｘの各部品各々に対して電力を供給するものである。
前記スイッチ部１８は，図１においては簡略標記をしているが，前記電源１９から，前記テレビジョン受像機Ｘの有する各部品への電力供給経路上に設けられ，このスイッチ部１８は，複数のスイッチからなる。それは，前記制御部１による制御に従って，前述の部品各々（前記地上波アナログチューナ５，前記ＣＡＴＶチューナ６，前記地上波デジタルチューナ７，前記光音声出力端子８，前記ＢＳデジタルチューナ９，前記ＣＳデジタルチューナ１０，前記コンポーネント入力部１１，前記Ｄ端子入力部１２，前記第一コンポジット入力部１３，前記第二コンポジット入力部１４，前記ＰＣ入力部１５，前記ＰＣ制御信号入力部１６，前記外部メモリ用接続部１７）に電力を供給する接続状態，電力の供給を行わない遮断状態とを個別に切り替えるものである。尚，前記コンポーネント入力部１１，前記Ｄ端子入力部１２，前記第一コンポジット入力部１３，前記第二コンポジット入力部１４，前記ＰＣ入力部１５，前記ＰＣ制御信号入力部１６が，外部機器インターフェースの一例である。
【００１７】
前記Ａ／Ｄ変換器２１は，前記セレクタ部２０より入力されたアナログの映像信号をデジタルの映像信号に変換するものであり，そのデジタルの映像信号は，前記デジタル映像信号処理装置２２に入力される。このようにして，前記デジタル映像信号処理装置２２には，前記Ａ／Ｄ変換器２１若しくは前記セレクタ部２０からのデジタルの映像信号と，前記ＰＣ入力部１５等によるデジタルの映像信号とが入力される。それらの映像信号は，前記デジタル信号処理装置により各種の処理（輝度信号，色信号の抽出，それらの信号に基づく映像画面の生成，フォーマットコンバート処理等）が施された上で，前記映像表示部から出力され，これにより映像画面が表示される。
【００１８】
視聴者によっては前記テレビジョン受像機Ｘを地上波アナログ放送の視聴のみに用いて，ＣＡＴＶ放送，ＢＳデジタル放送，ＣＳデジタル放送を使用しない場合，また，地上波デジタル放送の普及に伴い，地上波アナログ放送を全く使用しなくなる場合，等が考えられる。そのため，前記テレビジョン受像機Ｘでは，上述の各機能（地上波アナログ入力機能，ＣＡＴＶ入力機能，地上波デジタル入力機能，ＢＳデジタル入力機能，ＣＳデジタル入力機能，光音声出力機能，Ｄ端子入力機能，コンポーネント入力機能，コンポジット入力機能，ＰＣ入力機能，制御信号入力機能，外部メモリ書き込み機能）各々について，使用するか否かに関する情報（以下，使用機能設定情報という）を操作入力により設定することが可能である。前記使用機能設定情報は，前述の機能各々に対応する部品，即ち，前記地上波アナログチューナ５，前記ＣＡＴＶチューナ６，前記地上波デジタルチューナ７，前記光音声出力端子８，前記ＢＳデジタルチューナ９，前記ＣＳデジタルチューナ１０，前記コンポーネント入力部１１，前記Ｄ端子入力部１２，前記第一コンポジット入力部１３，前記第二コンポジット入力部１４，前記ＰＣ入力部１５，前記ＰＣ制御信号入力部１６，前記外部メモリ用接続部１７各々に電力（エネルギーの一例）を供給するか否かに関する情報であり（エネルギー供給情報の一例），「不使用」と設定された機能に対応する部品については，前記制御部１による前記スイッチ部１８の切り替え制御によって，前記電源１９からの電力供給が遮断される。尚，前記使用機能設定情報の設定処理を行う前記制御部１がエネルギー供給情報設定手段の一例である。
【００１９】
以下，前記制御部１による前記使用機能設定情報の設定処理について説明する。
前記制御部１が供える前記ＲＯＭには，前述の機能各々について，「使用」か「不使用」かを表す前記使用機能設定情報と，その機能を「不使用」と設定した場合における省エネルギー効果に関する情報（以下，省エネ効果情報という）が記憶されている。より具体的には，前述の機能各々を特定する機能識別情報各々と，前記使用機能設定情報及び前記省エネ効果情報とが関連付けられて前記ＲＯＭに予め記憶されている。
そして，前記入力部４を通じた所定の設定対象選択モード（当該テレビジョン受像機Ｘに対する設定情報の設定に際し，設定対象を選択するモード）への切替操作入力が行われたことが検知されると，前記制御部１は，前記使用機能設定情報，映像表示設定情報，音声出力設定情報等の各種設定情報の中から１つの設定対象の選択を視聴者に行なわせる所定の設定対象選択モードへ状態を切り替える。
前記設定対象選択モードにおいて，前記制御部１は，前記ＲＯＭに記憶されている所定の設定対象選択モード画面表示に関する情報を前記ＯＳＤ処理部３ａに伝送する。これに応じて，前記ＯＳＤ処理部３ａは，前記設定対象選択モード画面表示に関する情報に基づいて，図２に示されるように，設定対象となる項目を表す設定対象情報２３を一覧として表示する設定対象選択画面の映像信号を生成し，これをＯＳＤ画面として前記映像表示部３に表示させる。
【００２０】
また，前記ＯＳＤ処理部３ａは，図２に示すように，前記設定対象選択画面にカーソル２４を表示させる。さらに，前記ＯＳＤ処理部３ａは，このカーソル２４を，前記設定対象選択画面において，リモコン等に設けられたカーソル移動キーの操作入力に従って，その表示位置を上下左右に移動させる。
即ち，前記ＯＳＤ処理部３ａは，前記入力部４及び前記制御部１を通じて取得した前記カーソル移動キーの操作入力情報に従って前記カーソル２４の表示位置（表示座標）を演算し，その演算結果に応じて前記カーソル２４の表示位置に前記カーソル２４が表示されるよう前記設定対象選択画面の映像信号を生成する。前記設定対象選択画面の表示中において，前記カーソル２４が前記設定対象情報２３のうちの「省エネ設定」の項目に重なった状態で，前記入力部４を通じて所定の設定対象決定操作がなされたことを検知すると，前記制御部１は，前記使用機能設定情報の設定処理を行う所定の省エネルギー設定モードへと状態を切り替える。
前記省エネルギー設定モードでは，前記制御部１は，前記機能識別情報と前記使用機能設定情報と前記省エネ効果情報とを含む所定のＯＳＤ情報を前記ＯＳＤ処理部３ａに伝送し，前記ＯＳＤ処理部３ａは，そのＯＳＤ情報に基づいて前記使用機能設定情報の設定画面をＯＳＤ画面として前記映像表示部３に表示させる。
【００２１】
図３は，前記使用機能設定情報（エネルギー供給情報設定手段によるエネルギー供給情報）の設定が行われる際に表示される，設定画面の一例である。
図３に示されるとおり，前記使用機能設定情報の設定画面には，前記機能識別情報２５（「地上波アナログ」，「ＢＳデジタル」等）が一覧表示され，その機能識別情報２５ごとに，前記省エネ効果情報２６及びその時点で設定されている前記使用機能設定情報２７（「ＹＥＳ」（不使用）か，「ＮＯ」（使用）か）が表示される。また，前記使用機能設定情報のうちの「ＹＥＳ」（不使用）に対応する機能の省エネ効果の合計値情報２８も併せて表示される。
前述したように，前記省エネ効果情報２６は，各機能を「ＹＥＳ」（不使用）に設定したとき（即ち，各機能に対応する複数の部品各々にエネルギー供給を行わないとき）の省エネルギー効果を表す情報であり，図３に示す例では，当該テレビジョン受像機Ｘの総消費電力に対するその機能に対応する部品の消費電力の比率（以下，省エネ率という）で表している。
この省エネ効果情報２６の前記映像表示部３への表示（視聴者への通知）により，視聴者はそれぞれの機能を「ＹＥＳ」（不使用）と設定した場合の省エネルギー効果を明瞭に認識できる。
尚，以上のような前記映像表示部３の制御処理を行う前記制御部１が，省エネルギー効果通知手段の一例である。
【００２２】
また，前記使用機能設定情報の設定画面には，前述したカーソル２４も表示される。前記制御部１は，前記カーソル２４が前記機能識別情報２５又はそれに対応する前記省エネ効果情報２６若しくは前記使用機能設定情報２７のいずれかに重なった状態で，前記入力部４を通じて所定の設定状態変更操作がなされたことを検知すると，前記カーソル２４の位置に対応する機能について，前記使用機能設定情報の設定状態を変更する要求があったものと認識し，前記ＥＥＰＲＯＭ２に記憶された設定値（「ＹＥＳ（不使用）」又は「ＮＯ（使用）」）を更新する。
以降，前記制御部１は，更新後の前記使用機能設定情報２７を含む前記ＯＳＤ情報を前記ＯＳＤ処理部３ａに伝送することにより，更新後の前記使用機能設定情報２７を前記映像表示部３に表示させる。さらに，前記制御部１は，更新後の前記使用機能設定情報に従って，前記地上波アナログチューナ５，前記ＣＡＴＶチューナ６，前記地上波デジタルチューナ７，前記光音声出力端子８，前記ＢＳデジタルチューナ９，前記ＣＳデジタルチューナ１０，前記コンポーネント入力部１１，前記Ｄ端子入力部１２，前記第一コンポジット入力部１３，前記第二コンポジット入力部１４，前記ＰＣ入力部１５，前記ＰＣ制御信号入力部１６，前記外部メモリ用接続部１７の各々へ電力供給するか否か，前記スイッチ部１８を通じて制御する。また，前記制御部１は，当該制御部１が実行する制御プログラムの所定の変数を変更すること等により，「ＹＥＳ（不使用）」と設定された機能に対する部品へのアクセスが禁止されるよう制御する。
このように，前記制御部１（機能使用状態情報取得手段，機能使用有無対応エネルギー供給情報設定手段の一例）は，前記テレビジョン受像機Ｘの有する複数の機能各々の使用有無の情報を操作入力に従って取得する。また，その使用有無の情報に基づいて，「（ＹＥＳ）不使用」と設定された機能に対応する部品には電力の供給を停止する使用機能設定情報を設定する。
また，前記制御部１（エネルギー制御手段の一例）は，前記使用機能設定情報（エネルギー供給情報の一例）に基づいて，前記複数の部品各々に対して電力（エネルギーの一例）の供給を行うか否かを制御するものである。
尚，前記制御部１は，前記入力部４を通じて前記省エネルギー設定モードの解除操作があったことを検知すると，同モードを解除し，前記映像表示部３への前記使用機能設定情報の設定画面の表示を停止させる。
【００２３】
ところで，視聴者がある機能を「ＹＥＳ（不使用）」と設定しているにも関わらず，その機能を使用しようとすることが考えられる。例えば，前記地上波アナログ入力機能を「ＹＥＳ（不使用）」と設定しているにも係らず，前記地上波アナログ放送のチャンネルを選択（選局）する操作が行われること等が考えられる。その場合，前記地上波アナログチューナ５には電力が供給されておらず，前記地上波アナログ放送の番組映像の表示はなされないため，視聴者は前記テレビジョン受像機Ｘに故障が発生したものと錯誤する可能性がある。
このような視聴者の錯誤を防止するため，前記制御部１（エネルギー供給状態通知手段の一例）は，前記複数の部品（前記地上波アナログチューナ５，前記ＣＡＴＶチューナ６，前記地上波デジタルチューナ７，前記光音声出力端子８，前記ＢＳデジタルチューナ９，前記ＣＳデジタルチューナ１０，前記コンポーネント入力部１１，前記Ｄ端子入力部１２，前記第一コンポジット入力部１３，前記第二コンポジット入力部１４，前記ＰＣ入力部１５，前記ＰＣ制御信号入力部１６，前記外部メモリ用接続部１７）各々に対する電力（エネルギーの一例）の供給状態を通知する機能を有する。
【００２４】
具体的には，「ＹＥＳ（不使用）」と設定されている機能を使用する操作入力が前記入力部４を通じて検知された場合，前記制御部１（エネルギー供給状態通知手段の一例）は，前記テレビジョン受像機Ｘ（エネルギー供給制御装置の一例である制御部１が搭載される本体装置）を操作する前記リモコンに対して以下の制御を行う。即ち，前記リモコンに設けられている液晶パネル等のディスプレイ（表示部）に，その機能が不使用と設定されている旨の警告（エネルギー供給状態に関する情報の一例），例えば，「地上波アナログ入力機能は「不使用」に設定されています」等，の表示を行わせる。
これにより，使用しようとした機能が「ＹＥＳ（不使用）」に設定されている旨が視聴者に通知され，視聴者が前記テレビジョン受像機Ｘに故障が生じたと錯誤するのを防止できる。もちろん，そのような電力供給状態の通知は，前記映像表示部３への表示や，不図示の音声出力手段（スピーカ）を通じた音声出力によって行うことも考えられる。また，そのような通知は，前記映像表示部３や前記リモコンの表示部への常時出力により行うことも考えられる。
【実施例】
【００２５】
上述の実施形態では，前記使用機能設定情報が，その設定画面（図３）を通じて設定される都度，電力供給制御に用いる前記使用機能設定情報を，新たに設定された情報へ更新する例について示したが，そのような実施形態に限られるものではない。
例えば，視聴者により設定された前記使用機能設定情報を，前記ＥＥＰＲＯＭ２に複数パターン分記憶させる使用機能設定情報の登録処理を実行し，その記憶された複数パターンの前記使用機能設定情報の中から，前記制御部１による電力供給制御に用いる前記使用機能設定情報を前記入力部４を通じた選択入力に従って選択する実施例も考えられる。
以下，使用機能設定情報の登録処理の実施例について説明する。
前記省エネルギー設定モードにおいて，図３に示した設定画面等を通じて前記使用機能設定情報の設定がなされ，前記省エネルギー設定モードの解除操作がなされた際に，前記制御部１は，視聴者により設定された前記使用機能設定情報を，後の選択候補として登録する（前記ＥＥＰＲＯＭ２に記憶させる）か否かを視聴者に問い合わせる。例えば，前記制御部１は，図４に示すように，「この設定を後の選択候補として登録しますか」等の表示とそれに対する回答入力（「はい」又は「いいえ」）を促す表示とを行う登録問い合わせ画面の映像信号を前記ＯＳＤ処理部３ａに生成させ，前記映像表示部３にＯＳＤ画面として表示させる。さらに，その登録問い合わせ画面には上述のカーソル２４を表示させる。
前記登録問い合わせ画面の表示中に，前記カーソル２４が「はい」の表示に重なった状態で，前記入力部４を通じた所定の確定操作入力がなされると，前記制御部１は，視聴者により設定された前記使用機能設定情報を，前記制御部１による電力供給制御に用いる設定情報（以下，制御用使用機能設定情報という）として前記ＥＥＰＲＯＭ２に記憶させる（情報を更新する）とともに，それとは別個に，後の選択候補に用いる設定情報（以下，選択用使用機能設定情報という）として前記ＥＥＰＲＯＭ２に追加記憶させる。一方，「いいえ」の表示に重なった状態で前記確定操作入力がなされると，視聴者により設定された前記使用機能設定情報は，前記制御用使用機能設定情報として記憶（更新）されるが，前記選択用使用機能設定情報としては記憶されない。前記ＥＥＰＲＯＭ２は，前記選択用機能設定情報を複数記憶することが可能である。
このように，前記ＥＥＰＲＯＭ２は，前記制御部１（エネルギー供給情報設定手段の一例）による処理を通じて設定された複数パターン（複数種類）の前記使用機能設定情報（エネルギー供給情報の一例）を記憶するエネルギー供給パターン記憶手段の一例である。
【００２６】
以上のように記憶された複数の前記選択用機能設定情報は，以後，前記制御用機能設定情報を設定する際の選択候補として用いられる。
例えば，前記入力部４を通じた所定のパターン選択画面表示操作がなされると，前記制御部１は，複数の前記選択用機能設定情報を含む前記ＯＳＤ情報を前記ＯＳＤ処理部３ａに伝送し，前記ＯＳＤ処理部３ａは，図５にその一例が示されるパターン選択画面の映像信号を生成して前記映像表示部３に表示させる。
図５に示す前記パターン選択画面は，複数パターンの前記選択用機能設定情報各々を識別するパターン情報２９と，前記選択用機能設定情報において「ＹＥＳ（不使用）」と設定された機能（機能群）を表す不使用機能情報と，前記選択用機能設定情報において「ＹＥＳ（不使用）」と設定された機能各々の前記省エネ効果情報２７（図３参照）を合計した前記省エネ効果の合計値情報２８とが一覧表示される。ここで，前記不使用機能情報３０は，例えば，「地上波アナログ入力機能」は「地アナ」等と簡略表示されている。また，前記省エネ効果の合計値情報２８は，前記選択用機能設定情報各々についての省エネルギー効果の合計を表す情報である。なお，このパターン選択画面においても，前記カーソル２４が表示される。
【００２７】
前記カーソル２４が，前記パターン情報２９又はこれに対応する前記不使用機能情報３０若しくは前記省エネ効果の合計値情報２８のいずれかに重なっている状態で，前記入力部４を通じた所定の確定操作がなされると，前記制御部１は，前記カーソル２４の表示位置に対応する前記選択用使用機能設定情報（前記パターン情報２９に対応するもの）が選択されたものと認識し，前記ＥＥＰＲＯＭ２に記憶された前記制御用使用機能設定情報を，選択された前記選択用使用機能設定情報に更新する。また，その選択されたパターンにおける使用機能設定情報で「ＹＥＳ（不使用）」と設定されている機能に対応する部品への電力供給を，上述した方法で遮断する。
このように，１又は複数パターンの前記使用機能設定情報を選択候補として前記ＥＥＰＲＯＭ２（エネルギー供給パターン記憶手段の一例）に記憶しておけば，時間帯や曜日等に応じて，或いは視聴者に応じて前記使用機能設定情報の設定パターン（即ち，各部品に対するエネルギー遮断パターン）を変更したい場合でも，前記制御部１（エネルギー供給制御手段の一例）により用いられる前記制御用使用機能設定情報（エネルギー供給情報の一例）をその都度一から設定し直す必要がなく非常に操作性の良いものとなる。
尚，上述の処理を行う前記制御部１がエネルギー供給情報選択手段の一例である。
【００２８】
また，記憶された複数パターンの前記選択用使用機能設定情報の中から操作入力に従って前記制御用使用機能設定情報を選択する代わりに，それら各パターンの選択用使用機能設定情報を前記制御用使用機能設定情報として採用する曜日や時間帯等に関する情報（以下，採用日時情報という）を予め設定しておき，その採用日時情報に基づいて自動的に前記制御用使用機能設定情報として採用する前記選択用使用機能設定情報が選択されるものとしても良い。
その場合，前記制御部１は時間を計時するタイマを具備するものであり，前記タイマによる計時情報により現在の日時を認識する。また，前記採用日時情報から，前記制御用使用機能設定情報として採用（設定）されるべき前記選択用使用機能情報を選択し，その選択された前記選択用使用機能情報において「不使用」と設定されている機能に対応する部品への電力供給を遮断する。
【００２９】
更に，上述のような選択用機能設定情報が，予め複数パターン用意されており製品の出荷時には，既に設定登録のパターンとして前記ＥＥＰＲＯＭ２（既定エネルギー供給パターン記憶手段の一例）に記憶されている実施例も考えられる。このような実施例では，前述した設定対象選択モードにおける設定対象の項目（設定対象情報２３，図３参照）として「簡単省エネ設定」が加えられており，その他の設定対象項目と併せて，設定対象選択モード画面に表示される。更に，その簡単省エネ設定の項目を選択する所定の設定対象決定操作が前記入力部４を通じてなされたことが前記制御部１により検知されると，前記制御部１は，前記使用機能設定情報の設定処理を簡易的に設定する所定の省エネルギー簡易設定モードへと状態を切り替える。
前記省エネルギー簡易設定モードへと切り替えられると，前記制御部１は，予め記憶されている複数の選択用機能設定情報（以下，既定選択用機能設定情報）を前記ＯＳＤ処理部３ａに伝送する。更に，図６に示されるような既定選択用機能設定情報のうちの１つの選択を促す簡易設定画面をＯＳＤ画面として前記映像表示部３に表示させる。
【００３０】
図６に示されるように簡易設定画面には，前述の既定選択用機能設定情報３１に対して，前記省エネ効果の合計値情報２８が対応付けられて表示される。前記既定選択用機能設定情報３１は，「テレビとして使用しています」のように，装置の使用形態の直接的に表す複数の選択肢が表示される。これにより，視聴者は自分の使用の実状に応じて，設定すべき前記既定選択用機能設定情報３１を容易に認識して選択することが可能である。
前記カーソル２４が，前記既定選択用機能設定情報３１若しくは前記省エネ効果の合計値情報２８のいずれかに重なっている状態で，前記入力部４を通じた所定の確定操作がなされると，前記制御部１（既定エネルギー供給情報選択手段）は，複数の前記既定選択用機能設定情報３１の中から，前記カーソル２４の表示位置に対応する既定選択用機能設定情報３１が選択されたものと認識し，それを前記使用機能設定情報として前記ＥＥＰＲＯＭ２に記憶する。また，前記省エネルギー簡易設定モードを解除する。
このように，予め定められた複数の前記既定選択用機能設定情報を前記ＥＥＰＲＯＭ２に記憶しておけば，視聴者がこれらのうちの１つを選択することにより前記使用機能設定情報の設定がなされるので，非常に操作性のよいものとなる。
【００３１】
また，簡易に前記使用機能設定情報が設定可能である実施例の別として，以下のような実施例も考えられる。即ち，前記省エネルギー簡易設定モードが選択された場合，前記制御部１により前記簡易設定画面の代わりに，図７にその一例が示される使用機能設定フローチャートの順序に従って，各機能の使用の有無を視聴者に問い合わせる画面を，前記ＯＳＤ処理部３ａの制御により前記映像表示部３から順次表示させ，その問い合わせ画面に対応する応答入力に基づいて，前記使用機能情報を設定する実施例である。
具体的には，前記省エネルギー簡易設定モードが設定されると，まず，前記制御部１により図７のステップＳ１の問い合わせ画面，つまり，ＢＳ（ＢＳデジタル入力機能）を使用しているか否かの問い合わせ画面が前記映像表示部３から表示される。この状態で，視聴者による所定の問い合わせ回答操作（使用しているか，使用していないかの報告捜査）が前記入力部４を通じてなされたことが前記制御部１により検知されると，その回答操作情報が前記ＥＥＰＲＯＭ２に記憶され，ステップＳ２に進む。
ステップＳ２では，前記制御部１により「ビデオ入力機能（前述のＤ端子入力機能，コンポーネント入力機能，コンポジット入力機能の総称）を使用しているか否か」の問い合わせ画面が前記映像表示部３から表示される。この状態で，視聴者により使用していないことを示す問い合わせ回答操作がなされたこと（Ｓ２のＮＯ）が前記制御部１により検知された場合，その回答操作情報が前記ＥＥＰＲＯＭ２に記憶され，ステップＳ５に進む。
【００３２】
一方，使用していることを示す問い合わせ回答操作がなされたこと（Ｓ２のＹＥＳ）が前記制御部１により検知されると，その回答操作情報が前記ＥＥＰＲＯＭ２に記憶され，ステップＳ３に進む。
ステップ３では，前記制御部１により，コンポーネント入力（コンポーネント入力機能）を使用しているか否かの問い合わせ画面が前記映像表示部３から表示される。この状態で，視聴者により使用していないことを示す問い合わせ回答操作がなされたこと（Ｓ３のＮＯ）が前記制御部１により検知された場合，その回答操作情報が前記ＥＥＰＲＯＭ２に記憶され，ステップＳ５に進む。一方，使用していることを示す問い合わせ回答操作がなされたこと（Ｓ３のＹＥＳ）が前記制御部１により検知されると，その回答操作情報が前記ＥＥＰＲＯＭ２に記憶され，ステップＳ４に進む。
ステップ４では，前記制御部１により，コンポジット入力（コンポジット入力機能）を使用しているか否かの問い合わせ画面が前記映像表示部３から表示される。この状態で，視聴者により使用していること，若しくは使用していないことを示す問い合わせ回答操作がなされたことが前記制御部１により検知された場合，その回答操作情報が前記ＥＥＰＲＯＭ２に記憶され，ステップＳ５に進む。
ステップ５では，前記制御部１により，ＰＣ入力（ＰＣ入力機能）を使用しているか否かの問い合わせ画面が前記映像表示部３から表示される。この状態で，視聴者により使用していること，若しくは使用していないことを示す問い合わせ回答操作がなされたことが前記制御部１により検知された場合，その回答操作情報が前記ＥＥＰＲＯＭ２に記憶され，ステップＳ６に進む。
ステップＳ６では，ステップＳ１〜Ｓ５においてなされた回答捜査情報が一覧として表示され，且つ設定の確定の是非を問い合わせる問い合わせ画面が前記制御部１により，前記映像表示部３から表示される。ここで，視聴者により所定の確定操作入力がなされた場合，ステップＳ１〜Ｓ５において前記ＥＥＰＲＯＭ２に記憶された（操作入力に従って）回答操作情報（機能各々の使用有無の情報）各々に基づいて，前記制御部１（機能使用状態情報取得手段，機能使用有無対応エネルギー供給情報設定手段の一例）により前記使用機能設定情報が設定され，前記ＥＥＰＲＯＭ２に記憶される。具体的には，前記制御部１の有するＲＯＭには，前記回答操作情報各々と，前記使用機能設定情報との対応関係を表す情報である使用機能設定テーブルが記憶されており，前記制御部１は，該使用機能設定テーブルの内容に基づいて，前記使用機能設定情報を設定する。
【００３３】
また，上述の実施形態では，省エネルギーの効果が，総消費電力に対するその機能に対応する部品の消費電力の比率である場合について示したが，これに限られるものではなく，例えば，機能ごとの消費電力（ｋＷ）を用いて省エネルギー効果をあらわしても良いし，また，消費電力相当の電力料金（円）を用いて省エネルギーの効果を表してもよい。更に，これらの効果の表示の形式が操作入力により切り替えられるものであってもよい。
また，上述の実施形態では，前記エネルギー供給制御装置がテレビジョン受像機Ｘに用いられる例についてを開示したが，本発明はこれに限られるものではなく，例えばビデオ録画／再生装置，画像形成装置，等の表示部，及び複数の機能を有する機器に対しては適用することが可能である。
また，上述の実施形態では，電力をエネルギーの一例として説明したが，本体装置の有する各部品への他のエネルギー形態（光エネルギー，熱エネルギー，若しくは仕事などの力学的エネルギー等）の供給を制御するものも，本発明に属する。
【図面の簡単な説明】
【００３４】
【図１】本発明の実施形態に係るテレビジョン受像機Ｘの概略構成を示す図。
【図２】前記テレビジョン受像機Ｘにおける，設定対象選択の表示画面の一例を示す図。
【図３】前記テレビジョン受像機Ｘにおける複数の機能について使用するか否かを表す使用機能設定情報の設定画面の一例を示す図。
【図４】前記テレビジョン受像機Ｘにおける使用機能設定情報の登録問い合わせ画面の一例を示す図。
【図５】前記テレビジョン受像機Ｘにおける登録された使用機能設定情報の選択画面の一例を示す図。
【図６】予め記憶された既定使用機能設定情報の選択画面の一例を示す図。
【図７】使用機能設定情報の簡易設定がなされる場合の，視聴者の使用の実状を問い合わせる表示画面の表示手順を示すフローチャートである。
【符号の説明】
【００３５】
Ｘ…テレビジョン受像機
１…制御部
２…ＥＥＰＲＯＭ
３…映像表示部
３ａ…ＯＳＤ処理部
４…入力部
５…地上波アナログチューナ
６…ＣＡＴＶチューナ
７…地上波デジタルチューナ
９…ＢＳデジタルチューナ
１０…ＣＳデジタルチューナ
１１…コンポーネント入力部
１２…Ｄ端子入力部
１３…第一コンポジット入力部
１４…第二コンポジット入力部
１５…ＰＣ入力部
１６…ＰＣ制御信号入力部
１７…外部メモリ用接続部
１８…スイッチ部
１９…電源
２０…セレクタ部
２１…Ａ／Ｄ変換器
２２…デジタル映像信号処理装置
【図１】
2006129015.tif 000003
【図２】
2006129015.tif 000004
【図３】
2006129015.tif 000005
【図４】
2006129015.tif 000006
【図５】
2006129015.tif 000007
【図６】
2006129015.tif 000008
【図７】
2006129015.tif 000009